(57)【要約】      （修正有）【課題】  熱交換効率に優れた全熱交換器を提供する。【解決手段】  直角四角形部15とその両端に配設される三角形部14，14とを有する長六角形に形成された伝熱性及び透湿性を有する仕切膜７と、仕切膜７に固着されると共にフレーム部材８，８の間に平行に配設される単数又は複数の補強部材９と、から成る単位部材Ｅを備える。かつ、一対のフレーム部材８，８と補強部材９とを単位部材Ｅとは線対称位置になるように仕切膜７に固着して形成した単位部材Ｇを備える。単位部材Ｅと単位部材Ｇとを交互に積層して給気流路２と排気流路３とを有する全熱交換器本体１を形成している。かつ、給気流路２と排気流路３のそれぞれの開口部13が、積層された仕切膜７の三角形部14の外周の異なる辺に形成されている。【選択図】  図３
2006250372.tif 000002
【特許請求の範囲】
【請求項１】
直角四角形部（15）とその両端に配設される三角形部（14)(14）とを有する長六角形に形成された伝熱性及び透湿性を有する仕切膜（７）と、該仕切膜（７）の上記直角四角形部（15）の外周一辺と上記三角形部（14）の外周一辺に連続状に固着されかつ互いに点対称位置に配設される一対のフレーム部材（８)(８）と、上記仕切膜（７）に固着されると共に該フレーム部材（８)(８）の間に平行に配設される単数又は複数の補強部材（９）と、から成る単位部材（Ｅ）を備えると共に、
一対のフレーム部材（８)(８）と補強部材（９）とを上記単位部材（Ｅ）とは線対称位置になるように仕切膜（７）に固着して形成した単位部材（Ｇ）を備え、
上記単位部材（Ｅ）と上記単位部材（Ｇ）とを交互に積層して給気流路（２）と排気流路（３）とを有する全熱交換器本体（１）を形成し、かつ、給気流路（２）と排気流路（３）のそれぞれの開口部（13）が、積層された仕切膜（７）の三角形部（14）の外周の異なる辺に形成され、
さらに、上記給気流路（２）を通過する空気と上記排気流路（３）を通過する空気とが相互に平行かつ反対向きに流れる対向流部（４）と、該対向流部（４）の両端に配設しかつ上記給気流路（２）を通過する空気と上記排気流路（３）を通過する空気とが上記仕切膜（７）と直交する方向から見て交差して流れる交差流部（５)(５）とを、具備することを特徴とする全熱交換器。
【請求項２】
直角四角形部（15）とその両端に配設される三角形部（14)(14）とを有する長六角形に形成された伝熱性及び透湿性を有する仕切膜（７）と、該仕切膜（７）の上記直角四角形部（15）の外周一辺に固着されるフレーム部材（８）と、仕切膜（７）の直角四角形部（15）の外周他辺とその辺の両端の上記三角形部（14)(14）の外周一辺に連続状に固着されるフレーム部材（８）と、上記仕切膜（７）に固着されると共に該フレーム部材（８)(８）の間に平行に配設される単数又は複数の補強部材（９）と、から成る単位部材（Ｈ）を備え、
該単位部材（Ｈ）を180 °反転させて交互に積層して給気流路（２）と排気流路（３）とを有する全熱交換器本体（１）を形成し、かつ、給気流路（２）と排気流路（３）のそれぞれの開口部（13）が、積層された仕切膜（７）の三角形部（14）の外周の異なる辺に形成され、
さらに、上記給気流路（２）を通過する空気と上記排気流路（３）を通過する空気とが相互に平行かつ反対向きに流れる対向流部（４）と、該対向流部（４）の両端に配設しかつ上記給気流路（２）を通過する空気と上記排気流路（３）を通過する空気とが上記仕切膜（７）と直交する方向から見て交差して流れる交差流部（５)(５）とを、具備することを特徴とする全熱交換器。
【請求項３】
直角四角形部（15）とその両端に配設される三角形部（14)(14）とを有する長六角形に形成された伝熱性及び透湿性を有する仕切膜（７）と、該仕切膜（７）の上記直角四角形部（15）の外周一辺と上記三角形部（14）の外周一辺に連続状に固着されかつ互いに点対称位置に配設される一対のフレーム部材（８)(８）と、から成る単位部材（Ｅ）を備えると共に、
一対のフレーム部材（８)(８）を上記単位部材（Ｅ）とは線対称位置になるように仕切膜（７）に固着して形成した単位部材（Ｇ）を備え、
上記単位部材（Ｅ）と上記単位部材（Ｇ）とを交互に積層して給気流路（２）と排気流路（３）とを有する全熱交換器本体（１）を形成し、かつ、給気流路（２）と排気流路（３）のそれぞれの開口部（13）が、積層された仕切膜（７）の三角形部（14）の外周の異なる辺に形成され、
さらに、上記給気流路（２）を通過する空気と上記排気流路（３）を通過する空気とが相互に平行かつ反対向きに流れる対向流部（４）と、該対向流部（４）の両端に配設しかつ上記給気流路（２）を通過する空気と上記排気流路（３）を通過する空気とが上記仕切膜（７）と直交する方向から見て交差して流れる交差流部（５)(５）とを、具備することを特徴とする全熱交換器。
【請求項４】
直角四角形部（15）とその両端に配設される三角形部（14)(14）とを有する長六角形に形成された伝熱性及び透湿性を有する仕切膜（７）と、該仕切膜（７）の上記直角四角形部（15）の外周一辺に固着されるフレーム部材（８）と、仕切膜（７）の直角四角形部（15）の外周他辺とその辺の両端の上記三角形部（14)(14）の外周一辺に連続状に固着されるフレーム部材（８）と、から成る単位部材（Ｈ）を備え、
該単位部材（Ｈ）を180 °反転させて交互に積層して給気流路（２）と排気流路（３）とを有する全熱交換器本体（１）を形成し、かつ、給気流路（２）と排気流路（３）のそれぞれの開口部（13）が、積層された仕切膜（７）の三角形部（14）の外周の異なる辺に形成され、
さらに、上記給気流路（２）を通過する空気と上記排気流路（３）を通過する空気とが相互に平行かつ反対向きに流れる対向流部（４）と、該対向流部（４）の両端に配設しかつ上記給気流路（２）を通過する空気と上記排気流路（３）を通過する空気とが上記仕切膜（７）と直交する方向から見て交差して流れる交差流部（５)(５）とを、具備することを特徴とする全熱交換器。
【請求項５】
フレーム部材（８）の両端部と補強部材（９）の両端部を、仕切膜（７）と直交する方向から見て三角形に形成した請求項１又は２記載の全熱交換器。
【請求項６】
仕切膜（７）が、伝熱性及び透湿性を有するパルプを主成分とした薄膜、又は、伝熱性及び透湿性を有する合成樹脂を主成分とした材料から成る請求項１，２，３，４又は５記載の全熱交換器。
【請求項７】
フレーム部材（８）及び補強部材（９）の横断面形状が、横向き凹状、円形状、又は、かまぼこ状である請求項１，２，５又は６記載の全熱交換器。
【請求項８】
仕切膜（７）の両端の三角形部（14)(14）の先端部の開き角度（θ）を30°以上120 °以下になるように設定した請求項１，２，３，４，５，６又は７記載の全熱交換器。
【請求項９】
給気流路（２）及び排気流路（３）の開口部（13）を除く全熱交換器本体（１）の外周面全体を断熱材（６）で被覆した請求項１，２，３，４，５，６，７又は８記載の全熱交換器。
【発明の詳細な説明】
【技術分野】
【０００１】
本発明は、全熱交換器に関する。
【背景技術】
【０００２】
室内への空気の吸込みと室内の空気の排出とを同時に行うと共に、給気空気と排出空気との間の全熱交換を行う全熱交換器がある。
従来の全熱交換器としては、複数枚の仕切板の間に、断面が鋸刃状波形の間隔板を仕切板を挟んで交互に向き（波形の形成方向）を90°違えて配設したものがあった。そして、その全熱交換器内で流れる給気空気と排気空気は、仕切板と対面する方向から見て、直交状に流れていた（例えば、特許文献１参照）。
【特許文献１】特公昭５０−２９５０号公報
【発明の開示】
【発明が解決しようとする課題】
【０００３】
全熱交換器に於て、一般的に、給気空気と排出空気の流れる向きは、それぞれが直交状に流れる直交流型と、互いに平行かつ反対向きに流れる対向流型と、直交以外の交差状に流れる斜交流型の、３タイプがある。そして、それぞれのタイプの空気の流れる向きと、各空気間の熱交換効率との関係は、下記の表１に示すように、対向流型が最も熱交換効率が良く、直交流型が最も熱交換効率の悪いものであるということがわかっている。
従って、従来の全熱交換器は、給気空気と排出空気とを直交状に流れるように構成されており、熱交換効率が最も悪い向きに設定されたものであった。さらに、鋸刃状波形の間隔板が折曲げ部で仕切板に接着されて設けられており、接着部分の面積が多く有効熱交換面積が減少するので給気空気と排出空気の間の熱交換は行われにくかった。
そこで、本発明は、熱交換効率に優れた全熱交換器を提供することを目的とする。
【０００４】
【表１】
2006250372.tif 000003
【０００５】
なお、上記表１について説明すると、表１は、直交流型、対向流型、斜交流型の３タイプの空気流路を成形し、それぞれのタイプで、給気空気と排出空気の流路内の風量を、それぞれ30ｍ3 ／Ｈで送風した場合と、それぞれ60ｍ3 ／Ｈで送風した場合に於て、給気空気と排出空気との間の熱交換効率を測定した結果を示すものである。
この計測結果では、風量が30ｍ3 ／Ｈの場合の熱交換効率は、直交流型を100 とした場合で斜交流型が102 ％、対向流型が110 ％となり、風量が60ｍ3 ／Ｈの場合の熱交換効率は、直交流型を100 とした場合で斜交流型が102 ％、対向流型が108 ％となった。つまり、どちらの風量の場合であっても、対向流型が最も熱交換効率が良く、直交流型が最も熱交換効率が悪い計測結果となっている。
【課題を解決するための手段】
【０００６】
上記目的を達成するために、本発明に係る全熱交換器は、直角四角形部とその両端に配設される三角形部とを有する長六角形に形成された伝熱性及び透湿性を有する仕切膜と、該仕切膜の上記直角四角形部の外周一辺と上記三角形部の外周一辺に連続状に固着されかつ互いに点対称位置に配設される一対のフレーム部材と、上記仕切膜に固着されると共に該フレーム部材の間に平行に配設される単数又は複数の補強部材と、から成る単位部材を備えると共に、一対のフレーム部材と補強部材とを上記単位部材とは線対称位置になるように仕切膜に固着して形成した単位部材を備え、上記２種類の単位部材を交互に積層して給気流路と排気流路とを有する全熱交換器本体を形成し、かつ、給気流路と排気流路のそれぞれの開口部が、積層された仕切膜の三角形部の外周の異なる辺に形成され、さらに、上記給気流路を通過する空気と上記排気流路を通過する空気とが相互に平行かつ反対向きに流れる対向流部と、該対向流部の両端に配設しかつ上記給気流路を通過する空気と上記排気流路を通過する空気とが上記仕切膜と直交する方向から見て交差して流れる交差流部とを、具備するものである。
【０００７】
また、直角四角形部とその両端に配設される三角形部とを有する長六角形に形成された伝熱性及び透湿性を有する仕切膜と、該仕切膜の上記直角四角形部の外周一辺に固着されるフレーム部材と、仕切膜の直角四角形部の外周他辺とその辺の両端の上記三角形部の外周一辺に連続状に固着されるフレーム部材と、上記仕切膜に固着されると共に該フレーム部材の間に平行に配設される単数又は複数の補強部材と、から成る単位部材を備え、該単位部材を180 °反転させて交互に積層して給気流路と排気流路とを有する全熱交換器本体を形成し、かつ、給気流路と排気流路のそれぞれの開口部が、積層された仕切膜の三角形部の外周の異なる辺に形成され、さらに、上記給気流路を通過する空気と上記排気流路を通過する空気とが相互に平行かつ反対向きに流れる対向流部と、該対向流部の両端に配設しかつ上記給気流路を通過する空気と上記排気流路を通過する空気とが上記仕切膜と直交する方向から見て交差して流れる交差流部とを、具備するものである。
【０００８】
また、直角四角形部とその両端に配設される三角形部とを有する長六角形に形成された伝熱性及び透湿性を有する仕切膜と、該仕切膜の上記直角四角形部の外周一辺と上記三角形部の外周一辺に連続状に固着されかつ互いに点対称位置に配設される一対のフレーム部材と、から成る単位部材を備えると共に、一対のフレーム部材を上記単位部材とは線対称位置になるように仕切膜に固着して形成した単位部材を備え、上記２種類の単位部材を交互に積層して給気流路と排気流路とを有する全熱交換器本体を形成し、かつ、給気流路と排気流路のそれぞれの開口部が、積層された仕切膜の三角形部の外周の異なる辺に形成され、さらに、上記給気流路を通過する空気と上記排気流路を通過する空気とが相互に平行かつ反対向きに流れる対向流部と、該対向流部の両端に配設しかつ上記給気流路を通過する空気と上記排気流路を通過する空気とが上記仕切膜と直交する方向から見て交差して流れる交差流部とを、具備するものである。
【０００９】
また、直角四角形部とその両端に配設される三角形部とを有する長六角形に形成された伝熱性及び透湿性を有する仕切膜と、該仕切膜の上記直角四角形部の外周一辺に固着されるフレーム部材と、仕切膜の直角四角形部の外周他辺とその辺の両端の上記三角形部の外周一辺に連続状に固着されるフレーム部材と、から成る単位部材を備え、該単位部材を180 °反転させて交互に積層して給気流路と排気流路とを有する全熱交換器本体を形成し、かつ、給気流路と排気流路のそれぞれの開口部が、積層された仕切膜の三角形部の外周の異なる辺に形成され、さらに、上記給気流路を通過する空気と上記排気流路を通過する空気とが相互に平行かつ反対向きに流れる対向流部と、該対向流部の両端に配設しかつ上記給気流路を通過する空気と上記排気流路を通過する空気とが上記仕切膜と直交する方向から見て交差して流れる交差流部とを、具備するものである。
【００１０】
また、フレーム部材の両端部と補強部材の両端部を、仕切膜と直交する方向から見て三角形に形成したものである。
また、仕切膜が、伝熱性及び透湿性を有するパルプを主成分とした薄膜、又は、伝熱性及び透湿性を有する合成樹脂を主成分とした材料から成るものである。
また、フレーム部材及び補強部材の横断面形状が、横向き凹状、円形状、又は、かまぼこ状である。
また、仕切膜の両端の三角形部の先端部の開き角度を30°以上120 °以下になるように設定したものである。
また、給気流路及び排気流路の開口部を除く全熱交換器本体の外周面全体を断熱材で被覆したものである。
【発明の効果】
【００１１】
本発明は、次のような著大な効果を奏する。
本発明に係る全熱交換器によれば、給気流路内の空気と排気流路内の空気との間の熱交換を効率良く行うことができる。
即ち、対向流部では、給気流路を通過する空気と排気流路を通過する空気とが相互に平行かつ反対向きに流れるので、熱交換効率を一層向上させることができる。
また、対向流部の両端に交差流部を配設したので、空気を給気流路と排気流路とへ分けて送風し易い。
さらに、仕切膜は長六角形状であり、熱交換効率を高めコンパクト化されているので、家電機器や車両等への搭載が容易となる。
さらに、熱交換を効率良く行うことができ、圧力損失を低減できる。即ち、フレーム部材と仕切膜との接着（付着）面積を大幅に少なくしたことにより、仕切膜の全熱交換可能な面積を十分に確保できる。
また、フレーム部材は、各流路の開口部からの空気の吸込み又は排出の妨げとはならないので、空気は各流路内をスムースに流れることができる。
さらに、フレーム部材は仕切膜の歪みや変形を防止することができる。
【発明を実施するための最良の形態】
【００１２】
以下、実施の形態を示す図面に基づき本発明を詳説する。
図１〜図６に示す第１の実施の形態に於て、１は、全熱交換器本体であり、全熱交換器本体１内には、給気流路２と排気流路３とが、伝熱性・透湿性を有する、パルプを主成分とした薄膜又は合成樹脂を主成分とした薄膜の仕切膜７を介して交互に積層状に形成されている。
【００１３】
図３に於て、Ａは給気流路２を流れる空気（給気空気）の流れを示し、Ｂは排気流路３を流れる空気（排気空気）の流れを示す。つまり、全熱交換器本体１は、給気流路２を通過する空気（給気空気）と排気流路３を通過する空気（排気空気）とが相互に平行かつ反対向きに流れる対向流部４を有し、対向流部４の両端には給気空気と排気空気とが仕切膜７と直交する方向から見て（平面視にて）交差して流れる交差流部５，５が配設されている。
また、図10（ａ）に示すように、仕切膜７と直交する方向から見て（平面視にて）、対向流部４は直角四角形に形成されていると共に、交差流部５は三角形に形成されている。そして、全熱交換器本体１は長六角形状に形成されている。なお、対向流部４は直方体であり、交差流部５は三角柱となっている（図１参照）。
【００１４】
それぞれの交差流部５の傾斜面（側面）12，12には、給気流路２と排気流路３の開口部13を複数個有している。（図１又は図３に於て右側の）一方の交差流部５では、給気入口10と排気出口21が異なる傾斜面12に形成され、（左側の）他方の交差流部５では、排気入口11と給気出口20が異なる傾斜面12に形成されている。さらに、給気入口10と給気出口20、排気入口11と排気出口21は、仕切膜７の中心に対し点対象となる位置の傾斜面12，12に配設されている（図３参照）。
【００１５】
図３に於て、各仕切膜７の間には、２本の線状のフレーム部材８，８と、線状の補強部材９が設けられている。フレーム部材８は仕切膜７の縁に沿って配設され、仕切膜７の長手方向の両端部で左右一方へ傾いて開口するように（開口部13を形成するように）設けられている。
【００１６】
図４に於て、全熱交換器本体１は、単位部材Ｅと単位部材Ｇとを交互に積層して形成されている。単位部材Ｅと単位部材Ｇは、仕切膜７とそれに固着されるフレーム部材８，８と補強部材９とから成っている。仕切膜７は、直角四角形部15と、その両端に配設される三角形部14，14と、を有する長六角形に形成されている。
単位部材Ｅの一対のフレーム部材８，８は、この仕切膜７の直角四角形部15の外周一辺と三角形部14の外周一辺に連続状に固着され、かつ、互いに点対称位置に配設されている。さらに、単位部材Ｅの補強部材９は、仕切膜７に固着され、かつ、フレーム部材８，８の間に平行に配設されている。
また、単位部材Ｇの仕切膜７に固着された一対のフレーム部材８，８と補強部材９は、単位部材Ｅとは線対称位置になるように配設されている。
【００１７】
単位部材Ｅと単位部材Ｇの共通する構造について、さらに詳しく説明する。
図３及び図４に於て、フレーム部材８は、直角四角形部15の一辺部（端縁）に配設される直進部16と、直進部16の一端に連設されると共に三角形部14の一辺部（端縁）に配設される振り分け部17と、から成っている。さらに、２本のフレーム部材８，８は、互いに仕切膜７の中心に対し点対象となるように配設されている。
【００１８】
また、仕切膜７の歪みや変形を防止するための補強部材９はフレーム部材８，８の間に配設され、補強部材９は、仕切膜７の直角四角形部15の中央に配設される直進部18と、直進部18の両端に連設されると共に三角形部14，14に配設される振り分け部19と、から成っている。また、補強部材９の直進部18とフレーム部材８の直進部16は互いに平行に配置され、それぞれの三角形部14，14に於て、補強部材９の振り分け部19とフレーム部材８の振り分け部17は互いに平行に配設されている。
つまり、単位部材Ｅと単位部材Ｇには、フレーム部材８，８と補強部材９とによって略（横倒）Ｚ字状の給気流路２と排気流路３が形成されている。
【００１９】
単位部材Ｅと単位部材Ｇの相違する構造について説明すると、単位部材Ｅ，Ｇの対応する（積層される）三角形部14，14に於て、それぞれ三角形部14，14に配設されるフレーム部材８と補強部材９の振り分け部17，19は、平面視にて、交差状に設けられている。言い換えれば、単位部材Ｅのフレーム部材と、単位部材Ｇのフレーム部材８とは、仕切膜７の長手方向に延びる中央線に対し線対称になるように配置され、単位部材Ｅと単位部材Ｇの補強部材９，９も仕切膜７の上記中央線に対し互いに線対称になるように配置されている。
【００２０】
また、図５に於て、交差流部５の三角形部14の先端部の（傾斜面12，12の互いの）開き角度θを変更することにより、開口部13から給気又は排気される空気の流量を調整可能となっている。つまり、図５（ａ）に示すように、開き角度θを小さくなるように設定すれば、開口部13の幅寸法が大きくなるので、その開口部13から給気又は排気される空気の流量を多くさせることができるため、傾斜面12の開口部13の面積が全熱交換器本体１の対向流部４の断面積より大きくすることができて、長期間使用しても、ほこりが付着し易い開口部13に、ほこりが付着したとしても、その断面積が対向流部４の断面積と同一になるまでは熱交換効率が減少することはない。また、図５（ｂ）に示すように、開き角度θを大きくなるように設定すれば、開口部13の幅寸法が小さくなるので、その開口部13から給気又は排気される空気の流量を少なくすることができる。この開き角度θは、30°以上 120°以下になるように設定されている。開き角度θが30°未満になると、交差流部５の長さ寸法が不必要に長くなるので、全熱交換器を使用する機器内に設置しにくくなり、また、開き角度θが 120°を越えると、開口部13にほこりが付着した場合は、開口部13の断面積が、直ちに対向流部４の断面積より小さくなるので流路２，３を空気が流れにくくなる。
【００２１】
図６は、本発明の使用状態の一例を示す図であり、室内Ｘと屋外Ｙとを分ける壁Ｚには、内部に全熱交換器本体１を備えたケーシング25が付設されている。また、ケーシング25内には、給気用ファン22と排気用ファン23とが取り付けられ、室内Ｘ側の吸込口26ａ近傍と、屋外Ｙ側の吸込口26ｂ近傍には、フィルタ24が取り付けられている。さらに、給気用ファン22は全熱交換器本体１の給気入口10へ向かって送風するように配設され、排気用ファン23は排気出口21から空気を吸い込むように配置されている。なお、ケーシング25内で、給気空気と排気空気は混在させずに全熱交換器本体１を通過させるために複数個の間仕切板30が設けられている。また、Ａは給気空気の流れを示し、Ｂは排気空気の流れを示す。
【００２２】
次に、図７に示す第２の実施の形態に於て、給気流路２と排気流路３のそれぞれの開口部13を除く全熱交換器本体１の外周面全体を、断熱性、空気漏洩を防止する性能及び形状保持機能を有する断熱材６にて被覆している。断熱材６は所望の形状に切断して接着してある。
なお、図７に於て、図１と同一の符号は図１と同様の構成であるので説明を省略する。
【００２３】
図８に示す第３の実施の形態に於て、全熱交換器本体１は単位部材Ｈを180 °反転させて交互に積層して形成されている。単位部材Ｈは、仕切膜７とそれに固着されるフレーム部材８，８と補強部材９とから成っている。仕切膜７は、直角四角形部15と、その両端に配設される三角形部14，14と、を有する長六角形に形成されている。一方のフレーム部材８は、仕切膜７の直角四角形部15の外周一辺に固着され、他方のフレーム部材８は、仕切膜７の直角四角形部15の外周他辺とその辺の両端の三角形部14，14の外周一辺に連続状に固着されている。補強部材９は、仕切膜７に固着され、かつ、フレーム部材８，８の間に平行に配設されている。
【００２４】
単位部材Ｈの構造についてさらに詳しく説明すると、仕切膜７に配設される２本のフレーム部材８，８の内、一方のフレーム部材８ａは、直角四角形部15の一辺部（端縁）に配設される直進部16ａである。他方のフレーム部材８ｂは、直角四角形部15の一辺部（端縁）に配設される直進部16ｂと、その直進部16ｂの両端に連設されると共に各三角形部14の一辺部（端縁）に配設される振り分け部17，17と、から成っている。
【００２５】
また、補強部材９はフレーム部材８ａ，８ｂの間に配設され、補強部材９は、仕切膜７の直角四角形部15の中央に配設される直進部18と、直進部18の両端に連設されると共に三角形部14，14に配設される振り分け部19と、から成っている。また、補強部材９の直進部18とフレーム部材８ａ，８ｂの直進部16ａ，16ｂは互いに平行に配置され、それぞれの三角形部14，14に於て、補強部材９の振り分け部19とフレーム部材８ｂの振り分け部17は互いに平行に配設されている。
つまり、単位部材Ｈを180 °反転させて交互に積層して、略（横倒）Ｃ字状の給気流路２と排気流路３とを有する全熱交換器本体１を形成している。
従って、全熱交換器本体１は同一の部材（単位部材Ｈ）を180 °向きを変えて交互に積層して給気流路２と排気流路３とを形成することができるので、製造上の部品均質化と部品点数削減が同時に図れ、しかも給気流路２の入口10と出口20、及び、排気流路３の入口11と出口21とが、全熱交換器本体１の中央線（軸心）に対し（左側又は右側の）同じ側に配設されるため、全熱交換器を使用する機器に於ける構造的な利便性があり、極めて高い実施効果を得られる。
なお、図８に於て、図３と同一の符号は図３と同様の構成であるので説明を省略する。
【００２６】
図９と図10（ｂ）に示すのは、本発明との比較例であり、仕切膜７と直交する方向から見て（平面視にて）、対向流部４は直角四角形に形成されていると共に、交差流部５は半円形に形成されている。また、仕切膜７は、直角四角形部15と、直角四角形部15の長手方向の両端に有する半円形部27，27と、から成っている。
全熱交換器本体１は、単位部材Ｊと単位部材Ｋとを交互に積層して形成されている。また、単位部材Ｊのフレーム部材８と、単位部材Ｋのフレーム部材８とは、仕切膜７の長手方向に延びる中央線に対し線対称になるように配置され、単位部材Ｊと単位部材Ｋの補強部材９，９も仕切膜７の上記中央線に対し互いに線対称になるように配置されている。
【００２７】
単位部材Ｊと単位部材Ｋとの共通する構造について説明すると、フレーム部材８は、直角四角形部15の一辺部（端縁）に配設される直進部16と、直進部16の一端に連設されると共に半円形部27の円周部（端縁）に配設される弧状部28と、から成っている。さらに、２本のフレーム部材８，８は、互いに仕切膜７の中心に対し点対象となるように配設されている。
【００２８】
また、補強部材９はフレーム部材８，８の間に配設され、補強部材９は、仕切膜７の直角四角形部15の中央に配設される直進部18と、直進部18の両端に連設されると共に半円形部27，27に配設される弧状部29と、から成っている。また、それぞれの半円径部27，27に於て、補強部材９の弧状部29は、フレーム部材８の弧状部28と同じ方向に湾曲している。  つまり、単位部材Ｊと単位部材Ｋには、フレーム部材８，８と補強部材９とによって略（横倒）Ｓ字状の給気流路２と排気流路３が形成されている。
なお、図９に於て、図３と同一の符号は図３と同様の構成であるので説明を省略する。
【００２９】
本発明の全熱交換器は設計変更自由であり、フレーム部材８の横断面形状が、横向き凹状（図12ａ参照）に形成された場合は、フレーム部材８と仕切膜７との接着面積を減少させることなく流路２，３を拡張させることができ、また、フレーム部材８の横断面形状が、円形状（図12ｂ参照）、又は、かまぼこ状（図12ｃ参照）に形成された場合、フレーム部材８の稜線が開口部13へ向けて滑らかな曲線となり、給気入口10及び排気入口11の気流突入面が開先形状となることによって、気流突入面の形状抵抗損失を小さくすることができる。
また、フレーム部材８及び補強部材９の横断面形状が、円形状（図12ｂ参照）、又は、かまぼこ状（図12ｃ参照）に形成された場合は、仕切膜７の直角四角形部15の外周一辺と三角形部14の外周一辺に連続状に固着されるフレーム部材８，８及びフレーム部材８，８の間に平行に配設された補強部材９を一体化し、自由に折り曲げて固着することが可能となる。
また、図13に示すように、フレーム部材８の両端部と補強部材９の両端部を、仕切膜７と直交する方向から見て三角形に形成してもよく、この場合、フレーム部材８の両端部と補強部材９の両端部は、鋭利となり、上記と同様に開口部13の気流突入面における形状抵抗損失の低減及びほこりの堆積を低減することができる。
また、補強部材９を複数本設けてもよく（図11参照）、また、全く設けなくともよい。
【００３０】
上述した本発明である全熱交換器の使用方法（作用）について説明する。
図３と図６に於て、給気用ファン22と排気用ファン23を作動させ、給気用ファン22は全熱交換器本体１の給気入口10側へ向かって送風し、排気用ファン23は排気出口21側から空気を吸い込む。
屋外Ｙの空気（給気空気）は、給気入口10から給気流路２内へ入り、給気流路２を通過して給気出口20から室内Ｘへ送られる。また、室内Ｘの空気（排気空気）は排気入口11から排気流路３内へ入り、排気流路３を通過して排気出口21から屋外Ｙへ排出される。
この時、対向流部４では、給気流路２を通過する空気と排気流路３を通過する空気とが相互に平行かつ反対向きに流れ、交差流部５では、給気流路２を通過する空気と排気流路３を通過する空気とが仕切膜７と直交する方向から見て交差して流れる。そして、全熱交換器本体１内では、給気流路２を通過する空気と排気流路３を通過する空気との間で、仕切膜７を介して全熱交換が行われる。
【００３１】
以上のように、本発明の全熱交換器は、直角四角形部15とその両端に配設される三角形部14，14とを有する長六角形に形成された伝熱性及び透湿性を有する仕切膜７と、仕切膜７の直角四角形部15の外周一辺と三角形部14の外周一辺に連続状に固着されかつ互いに点対称位置に配設される一対のフレーム部材８，８と、仕切膜７に固着されると共にフレーム部材８，８の間に平行に配設される単数又は複数の補強部材９と、から成る単位部材Ｅを備えると共に、一対のフレーム部材８，８と補強部材９とを単位部材Ｅとは線対称位置になるように仕切膜７に固着して形成した単位部材Ｇを備え、単位部材Ｅと単位部材Ｇとを交互に積層して給気流路２と排気流路３とを有する全熱交換器本体１を形成し、かつ、給気流路２と排気流路３のそれぞれの開口部13が、積層された仕切膜７の三角形部14の外周の異なる辺に形成され、さらに、給気流路２を通過する空気と排気流路３を通過する空気とが相互に平行かつ反対向きに流れる対向流部４と、対向流部４の両端に配設しかつ給気流路２を通過する空気と排気流路３を通過する空気とが仕切膜７と直交する方向から見て交差して流れる交差流部５，５とを、具備するので、給気流路２内の空気と排気流路３内の空気との間の熱交換を効率良く行うことができる。
即ち、対向流部４では、給気流路２を通過する空気と排気流路３を通過する空気とが相互に平行かつ反対向きに流れるので、熱交換効率を一層向上させることができることは表１のデータで明らかである。
また、対向流部４の両端に交差流部５，５を配設したので、空気を給気流路２と排気流路３とへ分けて送風し易い。
さらに、仕切膜７（全熱交換器本体１）は長六角形状であり、熱交換効率を高めコンパクト化されているので、家電機器や車両等への搭載が容易となる。
さらに、熱交換を効率良く行うことができ、圧力損失を低減できる。即ち、フレーム部材８と仕切膜７との接着（付着）面積を大幅に少なくしたことにより、仕切膜７の全熱交換可能な面積を十分に確保できる。また、フレーム部材８は、各流路２，３の開口部13からの空気の吸込み又は排出の妨げとはならないので、空気は各流路２，３内をスムースに流れることができる。さらに、フレーム部材８は仕切膜７の歪みや変形を防止することができる。
【００３２】
また、直角四角形部15とその両端に配設される三角形部14，14とを有する長六角形に形成された伝熱性及び透湿性を有する仕切膜７と、仕切膜７の直角四角形部15の外周一辺に固着されるフレーム部材８と、仕切膜７の直角四角形部15の外周他辺とその辺の両端の三角形部14，14の外周一辺に連続状に固着されるフレーム部材８と、仕切膜７に固着されると共にフレーム部材８，８の間に平行に配設される単数又は複数の補強部材９と、から成る単位部材Ｈを備え、単位部材Ｈを180 °反転させて交互に積層して給気流路２と排気流路３とを有する全熱交換器本体１を形成し、かつ、給気流路２と排気流路３のそれぞれの開口部13が、積層された仕切膜７の三角形部14の外周の異なる辺に形成され、さらに、給気流路２を通過する空気と排気流路３を通過する空気とが相互に平行かつ反対向きに流れる対向流部４と、対向流部４の両端に配設しかつ給気流路２を通過する空気と排気流路３を通過する空気とが仕切膜７と直交する方向から見て交差して流れる交差流部５，５とを、具備するので、給気流路２内の空気と排気流路３内の空気との間の熱交換を効率良く行うことができる。
即ち、対向流部４では、給気流路２を通過する空気と排気流路３を通過する空気とが相互に平行かつ反対向きに流れるので、熱交換効率を一層向上させることができることは表１のデータで明らかである。
また、対向流部４の両端に交差流部５，５を配設したので、空気を給気流路２と排気流路３とへ分けて送風し易い。
さらに、全熱交換器本体１は同一の部材（単位部材Ｈ）を180 °向きを変えて交互に積層して給気流路２と排気流路３とを形成することができるので、製造上の部品均質化と部品点数削減が同時に図れ、しかも給気流路２の入口10と出口20、及び、排気流路３の入口11と出口21とが、全熱交換器本体１の中央線（軸心）に対し（左側又は右側の）同じ側に配設されるため、全熱交換器を使用する機器に於ける構造的な利便性があり、極めて高い実施効果を得られる。
また、仕切膜７（全熱交換器本体１）は長六角形状であり、熱交換効率を高めコンパクト化されているので、家電機器や車両等への搭載が容易となる。
さらに、熱交換を効率良く行うことができ、圧力損失を低減できる。即ち、フレーム部材８と仕切膜７との接着（付着）面積を大幅に少なくしたことにより、仕切膜７の全熱交換可能な面積を十分に確保できる。また、フレーム部材８は、各流路２，３の開口部13からの空気の吸込み又は排出の妨げとはならないので、空気は各流路２，３内をスムースに流れることができる。さらに、フレーム部材８は仕切膜７の歪みや変形を防止することができる。
【００３３】
また、直角四角形部15とその両端に配設される三角形部14，14とを有する長六角形に形成された伝熱性及び透湿性を有する仕切膜７と、仕切膜７の直角四角形部15の外周一辺と三角形部14の外周一辺に連続状に固着されかつ互いに点対称位置に配設される一対のフレーム部材８，８と、から成る単位部材Ｅを備えると共に、一対のフレーム部材８，８を単位部材Ｅとは線対称位置になるように仕切膜７に固着して形成した単位部材Ｇを備え、単位部材Ｅと単位部材Ｇとを交互に積層して給気流路２と排気流路３とを有する全熱交換器本体１を形成し、かつ、給気流路２と排気流路３のそれぞれの開口部13が、積層された仕切膜７の三角形部14の外周の異なる辺に形成され、さらに、給気流路２を通過する空気と排気流路３を通過する空気とが相互に平行かつ反対向きに流れる対向流部４と、対向流部４の両端に配設しかつ給気流路２を通過する空気と排気流路３を通過する空気とが仕切膜７と直交する方向から見て交差して流れる交差流部５，５とを、具備するので、給気流路２内の空気と排気流路３内の空気との間の熱交換を効率良く行うことができる。
即ち、対向流部４では、給気流路２を通過する空気と排気流路３を通過する空気とが相互に平行かつ反対向きに流れるので、熱交換効率を一層向上させることができることは表１のデータで明らかである。
また、対向流部４の両端に交差流部５，５を配設したので、空気を給気流路２と排気流路３とへ分けて送風し易い。
さらに、仕切膜７（全熱交換器本体１）は長六角形状であり、熱交換効率を高めコンパクト化されているので、家電機器や車両等への搭載が容易となる。
さらに、熱交換を効率良く行うことができ、圧力損失を低減できる。即ち、フレーム部材８と仕切膜７との接着（付着）面積を大幅に少なくしたことにより、仕切膜７の全熱交換可能な面積を十分に確保できる。また、フレーム部材８は、各流路２，３の開口部13からの空気の吸込み又は排出の妨げとはならないので、空気は各流路２，３内をスムースに流れることができる。さらに、フレーム部材８は仕切膜７の歪みや変形を防止することができる。
【００３４】
また、直角四角形部15とその両端に配設される三角形部14，14とを有する長六角形に形成された伝熱性及び透湿性を有する仕切膜７と、仕切膜７の直角四角形部15の外周一辺に固着されるフレーム部材８と、仕切膜７の直角四角形部15の外周他辺とその辺の両端の三角形部14，14の外周一辺に連続状に固着されるフレーム部材８と、から成る単位部材Ｈを備え、単位部材Ｈを180 °反転させて交互に積層して給気流路２と排気流路３とを有する全熱交換器本体１を形成し、かつ、給気流路２と排気流路３のそれぞれの開口部13が、積層された仕切膜７の三角形部14の外周の異なる辺に形成され、さらに、給気流路２を通過する空気と排気流路３を通過する空気とが相互に平行かつ反対向きに流れる対向流部４と、対向流部４の両端に配設しかつ給気流路２を通過する空気と排気流路３を通過する空気とが仕切膜７と直交する方向から見て交差して流れる交差流部５，５とを、具備するので、給気流路２内の空気と排気流路３内の空気との間の熱交換を効率良く行うことができる。
即ち、対向流部４では、給気流路２を通過する空気と排気流路３を通過する空気とが相互に平行かつ反対向きに流れるので、熱交換効率を一層向上させることができることは表１のデータで明らかである。
また、対向流部４の両端に交差流部５，５を配設したので、空気を給気流路２と排気流路３とへ分けて送風し易い。
さらに、全熱交換器本体１は同一の部材（単位部材Ｈ）を180 °向きを変えて交互に積層して給気流路２と排気流路３とを形成することができるので、製造上の部品均質化と部品点数削減が同時に図れ、しかも給気流路２の入口10と出口20、及び、排気流路３の入口11と出口21とが、全熱交換器本体１の中央線（軸心）に対し（左側又は右側の）同じ側に配設されるため、全熱交換器を使用する機器に於ける構造的な利便性があり、極めて高い実施効果を得られる。
また、仕切膜７（全熱交換器本体１）は長六角形状であり、熱交換効率を高めコンパクト化されているので、家電機器や車両等への搭載が容易となる。
さらに、熱交換を効率良く行うことができ、圧力損失を低減できる。即ち、フレーム部材８と仕切膜７との接着（付着）面積を大幅に少なくしたことにより、仕切膜７の全熱交換可能な面積を十分に確保できる。また、フレーム部材８は、各流路２，３の開口部13からの空気の吸込み又は排出の妨げとはならないので、空気は各流路２，３内をスムースに流れることができる。さらに、フレーム部材８は仕切膜７の歪みや変形を防止することができる。
【００３５】
また、フレーム部材８の両端部と補強部材９の両端部を、仕切膜７と直交する方向から見て三角形に形成したので、開口部13の気流突入面を鋭利にすることにより形状抵抗損失の低減及びほこりの堆積を低減することができる。
【００３６】
また、仕切膜７が、伝熱性及び透湿性を有するパルプを主成分とした薄膜、又は、伝熱性及び透湿性を有する合成樹脂を主成分とした材料から成るので、給気流路２内の空気と排気流路３内の空気との間の熱交換効率を一層向上させることができる。
【００３７】
また、フレーム部材８の横断面形状が、横向き凹状、円形状、又は、かまぼこ状であるので、フレーム部材８の横断面形状が横向き凹状の場合は、フレーム部材８と仕切膜７との接着面積を減少させることなく流路２，３を拡張させることができ、空気が各流路２，３内をスムースに通過することができる。また、フレーム部材８横断面形状が円形状、又は、かまぼこ状である場合は、フレーム部材８の稜線が開口部13へ向けて滑らかな曲線となり、給気入口10及び排気入口11の気流突入面が開先形状となることによって気流突入面の形状抵抗損失を小さくすることができる。
また、フレーム部材８及び補強部材９の横断面形状が、円形状（図12ｂ参照）、又は、かまぼこ状（図12ｃ参照）に形成された場合は、仕切膜７の直角四角形部15の外周一辺と三角形部14の外周一辺に連続状に固着されるフレーム部材８，８及びフレーム部材８，８の間に平行に配設された補強部材９を一体化し、自由に折り曲げて固着することが可能となる。
【００３８】
また、仕切膜７の両端の三角形部14，14の先端部の開き角度θを30°以上120 °以下になるように設定したので、給気流路２と排気流路３を流れる空気の流量を調整することができると共に、熱交換効率の低下を防止することができる。
即ち、開き角度θを小さくなるように設定すれば、開口部13の幅寸法が大きくなるので、その開口部13から給気又は排気される空気の流量を多くさせることができるため、傾斜面12の開口部13の面積が全熱交換器本体１の対向流部４の断面積より大きくすることができて、長期間使用しても、ほこりが付着し易い開口部13の面積が対向流部４の断面積と同一になるまでは熱交換効率が減少することはない。また、開き角度θを大きくなるように設定すれば、開口部13の幅寸法が小さくなるので、その開口部13から給気又は排気される空気の流量を少なくすることができる。
【００３９】
また、給気流路２及び排気流路３の開口部13を除く全熱交換器本体１の外周面全体を断熱材６で被覆したので、本体１外部への空気の漏洩を防止し、熱の損失を防止して熱交換効率を一層向上させることができると共に、全熱交換器本体１の形状を保持することができる。
【図面の簡単な説明】
【００４０】
【図１】本発明の第１の実施の形態を示す斜視図である。
【図２】側面図である。
【図３】断面平面図である。
【図４】分解図である。
【図５】要部斜視図である。
【図６】使用状態の一例を示す断面平面図である。
【図７】第２の実施の形態を示す斜視図である。
【図８】第３の実施の形態を示す断面平面図である。
【図９】比較例を示す断面平面図である。
【図１０】説明用平面図である。
【図１１】簡略平面図である。
【図１２】フレーム部材及び補強部材の形状を示す横断面図である。
【図１３】フレーム部材及び補強部材の形状を示す要部拡大平面図である。
【符号の説明】
【００４１】
１  全熱交換器本体
２  給気流路
３  排気流路
４  対向流部
５  交差流部
６  断熱材
７  仕切膜
８  フレーム部材
９  補強部材
13  開口部
14  三角形部
15  直角四角形部
Ｅ  単位部材
Ｇ  単位部材
Ｈ  単位部材
θ  開き角度
【図１】
2006250372.tif 000004
【図２】
2006250372.tif 000005
【図３】
2006250372.tif 000006
【図４】
2006250372.tif 000007
【図５】
2006250372.tif 000008
【図６】
2006250372.tif 000009
【図７】
2006250372.tif 000010
【図８】
2006250372.tif 000011
【図９】
2006250372.tif 000012
【図１０】
2006250372.tif 000013
【図１１】
2006250372.tif 000014
【図１２】
2006250372.tif 000015
【図１３】
2006250372.tif 000016